(57)【要約】【課題】  コストの低減および生産性の向上を図ることができ且つ保管および取扱が容易にでき、経済的、資源的にも好ましいＡＣアダプタを提供する。【解決手段】  商用交流電源コンセントから商用交流電力を受電したときに該受電交流を機器に適合する直流電力に変換するＡＣアダプタ本体と、該変換直流電力を機器に供給するＤＣコードとが接続用コネクタを介して着脱・交換自在に接続され、また接続用コネクタは外れ防止部付き構造にされ、また該外れ防止部は螺合接続構造にされ、さらに、接続用コネクタはＡＣアダプタ本体の変換直流電力出力側に設けた接続用ジャックコネクタとＤＣコードの受電側端に設けた接続用プラグコネクタとから構成され、該接続用プラグコネクタには自己復帰型ヒューズが内蔵されたものである。【選択図】    図２
2007179802.tif 000002
【特許請求の範囲】
【請求項１】
商用交流電源コンセントから商用交流電力を受電したときに該受電交流を機器に適合する直流電力に変換するＡＣアダプタ本体と該変換直流電力を機器に供給するＤＣコードとが、接続用コネクタを介して着脱・交換自在に接続されたことを特徴とするＡＣアダプタ。
【請求項２】
接続用コネクタは、螺合接続構造等の外れ防止部付き構造にされたことを特徴とする請求項１記載のＡＣアダプタ。
【請求項３】
上記接続用コネクタは、ＡＣアダプタ本体の変換直流電力出力側に設けられた接続用ジャックコネクタとＤＣコードの受電側端に設けられた接続用プラグコネクタとから構成され、該接続用プラグコネクタには自己復帰型ヒューズが内蔵されたことを特徴とする請求項１または２記載のＡＣアダプタ。
【発明の詳細な説明】
【技術分野】
【０００１】
本発明は、直流電力により動作する電気機器、電子機器（本文中、単に機器という）を商用交流電源コンセントに接続するためのＡＣアダプタに関する。
【背景技術】
【０００２】
従前知られているこの種のＡＣアダプタは、図７の示すように、商用交流電源コンセントに任意に接続して商用交流電力を受電するための交流側プラグコネクタ１０と、該受電交流を機器に適合する直流電力に変換するＡＣアダプタ本体４部と、該変換直流電力を機器に供給するＤＣコード５部と、該ＤＣコード５部の先端を機器の直流電力受電用ジャックコネクタに接続するための直流側プラグコネクタ１５とが分離できない一体構造になっていた。
【０００３】
しかしながら、ＤＣコード部がＡＣアダプタ本体部に固定的に接続されていると、次のような問題があった。
【０００４】
・  メーカーは、直流側プラグコネクタが接続される機器ごとの直流電力受電用ジャックコネクタを考慮して製造提供しなければならない。
・  メーカーは、機器の機種ごとに直流側プラグコネクタが異なる場合、当該直流側プラグコネクタに適合するＡＣアダプタを製造する必要があり、経済的負担および資源的負担の軽減化に限界があった。
・  メーカーは、機器の直流側プラグコネクタが機種ごと異なるためにＡＣアダプタの種類が多くなり、在庫の管理が困難になるのみならず在庫品管理のためには広いスペースの確保が必要であった。
・  メーカーにあっては、ＡＣアダプタ本体とＤＣコードとを機器の機種に適合する間違いの無い状態に接続して一体化しなければならなく、製造コストの上昇や生産性の低下を招いていた。
・  メーカーおよびユーザーにあっては、ＡＣアダプタ本体とＤＣコードとが一体になっているためにＤＣコード部分が持ち運びや収納の邪魔になっていた。
・  メーカーおよびユーザーは、ＡＣアダプタ本体、ＤＣコードのどちらかが試験不良または使用不能の事態になった場合、修復ができなければ全体すなわち両者を廃棄処分しなければならなく、経済的、資源的に好ましくなかった。
・  ユーザーおよびユーザーは、他の機器への転用ができない不便さであるのみならず異なる機器ごとに整理して保管する煩しさがあった。
【発明の開示】
【発明が解決しようとする課題】
【０００５】
本発明は、上記諸問題の改善策として案出したもので、コストの低減および生産性の向上を図ることができ且つ保管および取扱が容易にでき、経済的、資源的にも好ましいＡＣアダプタを提供することを目的とする。
【課題を解決するための手段】
【０００６】
上記目的を達成するために、本発明に係るＡＣアダプタは、商用交流電源コンセントから商用交流電力を受電したときに該受電交流を機器に適合する直流電力に変換するＡＣアダプタ本体と、該変換直流電力を機器に供給するＤＣコードとが、接続用コネクタを介して着脱・交換自在に接続されたものであり、また接続用コネクタは外れ防止部付き構造にされたものであり、また該外れ防止部は螺合接続構造にされたものである。
【０００７】
さらに、上記接続用コネクタは、ＡＣアダプタ本体の変換直流電力出力側に設けられた接続用ジャックコネクタと、ＤＣコードの受電側端に設けられた接続用プラグコネクタとから構成され、該接続用プラグコネクタには自己復帰型ヒューズが内蔵されたものである。
【発明の効果】
【０００８】
本発明は、上記のように、ＤＣコード部がＡＣアダプタ本体部に対して接続用コネクタを介して着脱・交換自在に接続されているので、ＡＣアダプタ本体とＤＣコードとを一体構造にする工程を省くことができ且つＡＣアダプタ本体は規格を統一して一つの製造ラインで量産することができる。したがって、コストの低減化および生産性の向上を図ることができる。また、一種類のＡＣアダプタ本体と各種機器に適合するように構成された多種類のＤＣコードとに分けて別個に保管することが可能になるので、管理がし易くなるのみならず特にＡＣアダプタ本体のストック個数を少なくすることが可能になるのでその保管スペースを減らすことができる。さらにＡＣアダプタ本体はコード無しの状態で、またＤＣコードはＡＣアダプタ本体無しの状態でそれぞれ任意に移動できるからその取扱が容易になり、管理作業、出荷作業の能率アップができる。
【０００９】
しかも、本発明に係るＡＣアダプタは、上記のように、ＡＣアダプタ本体とＤＣコードとが分離された形態であるので、その出荷作業は、出荷対象機器に適合するＤＣコードを選定し、これをＡＣアダプタ本体に接続した状態若しくは接続しない同梱の状態で出荷することができる。
【００１０】
また、ユーザーは、一台のＡＣアダプタ本体を所持さえしていれば必要に応じてこれに異なるタイプのＤＣコードを適宜接続して使用することが可能になる。したがって、上記転用ができないような不便さの解消ができる。さらに、適合するコードをＡＣアダプタ本体に接続することにより各種機器への対応が可能になるから、ＤＣコードの方は適合機器に接続したままにしておき、これをＡＣアダプタ本体に任意に接続しても使用が可能になるのでユーザーには頗る利便である。このようにＤＣコードの方は適合機器に接続したままにしておけるので、コードが絡み合う問題も一挙に解消できる。また、ＡＣアダプタ本体、ＤＣコードのどちらかが破損して使用不能の事態になった場合には、その方を修理するか交換すれば対処できるから、より経済的で、省資源化にも好ましい。
【００１１】
さらに、本発明に係るＡＣアダプタは、接続用コネクタが螺合接続構造等の外れ防止部付き構造にされているので、使用中にＤＣコードが濫りに外れて断線事故を生起する惧れがなく安全であり、安心して使用できる。また該外れ防止部が螺合接続構造にされているので、機器に直流電力を供給し続けるのに極めて好都合である。
【００１２】
さらに、上記接続用コネクタには、自己復帰型ヒューズが内蔵されているので、電源側または機器側のいずれか一方に異常が発生して、電源と機器との間に通常以上の電流が流れた場合若しくは流れ続けた場合には、上記自己復帰型ヒューズがこれを阻止するから、異常の発生していない側をも破損させてしまうような事態は確実に回避できる。また、該自己復帰型ヒューズは汎用のヒューズのようにいちいち交換する必要がないので使用上の煩わしさがなく、ＡＣアダプタ本体、ＤＣコードを使用し難くするようなことがない。
【発明を実施するための最良の形態】
【００１３】
図１〜図４は、本発明に係るＡＣアダプタの第１実施の形態を示す。なお、図１は全体を示す外観斜視図であり、図２は分離状態で示す一部切截平面図であり、図３は結線の様子を示す模式図であり、図４は接続状態で示す要部の断面図である。
【００１４】
この第１実施形態のＡＣアダプタ１は、商用交流電源コンセント２から商用交流電力を受電したときに該受電交流を直流機器３に適合する直流電力に変換するＡＣアダプタ本体４と、該変換直流電力を直流機器３に供給するＤＣコード５とが接続用コネクタ６を介して着脱・交換自在に接続されたものである。
【００１５】
ＡＣアダプタ本体４は、小型のケース７にＡＣ/ＤＣコンバータ８が内蔵され、同ケース７の一方端面壁には商用交流電源コンセント２からＡＣ/ＤＣコンバータ８の一次側にリード線９a、９bを介して交流電力を受電する交流側プラグコネクタ１０が固定され、また同ケース７の他方端面壁にはＡＣ/ＤＣコンバータ８により上記直流機器３に適合する直流電力に変換された変換直流電力をリード線１１a、１１bを介してＤＣコード５に流す接続用ジャックコネクタ１２が固定されている。なお、上記ＡＣ/ＤＣコンバータ８にはヒューズ（図示せず）が入っている。
【００１６】
ＤＣコード５は、その基端に上記の接続用ジャックコネクタ１２に嵌合離脱しうる構成の接続用プラグコネクタ１３が接続され、同じく先端には上記直流機器３が予め備えている機器側ジャックコネクタ１４に嵌合離脱しうる構成の直流側プラグコネクタ１５が接続されている。
【００１７】
すなわち、ＡＣアダプタ本体４とＤＣコード５の着脱は、接続用ジャックコネクタ１２と接続用プラグコネクタ１３が接続用コネクタ６として機能することにより達成される。
【００１８】
次に、上記着脱機能を果たす接続用ジャックコネクタ１２および接続用プラグコネクタ１３の構造を説明する。
【００１９】
接続用ジャックコネクタ１２は、次に詳述する接続用プラグコネクタ１３のプラグ本体部２３の先端部が挿入されるプラグ孔１６が開設された樹脂製円筒体１７を主体として構成され、該円筒体１７内には中心導体として機能する中心ピン１８が立設されている。また同円筒体１７の内部には、挿入された次に詳述する接続用プラグコネクタ１３の外側導体２１に弾性接触する弾性金属製端子片１９が固定されている。
【００２０】
この接続用ジャックコネクタ１２は、円筒体１７が上記ケース７に固定され、上記リード線１１a、１１bの一方が中心ピン１８に、他方が端子片１９に接続された状態で使用されている。
【００２１】
接続用プラグコネクタ１３は、樹脂製の筒状絶縁壁２０の外に金属製の筒状外側導体２１を被せ同絶縁壁２０内に金属製の筒状内側導体２２を嵌入することによりプラグ本体部２３が構成され、該プラグ本体部２３の基端には絶縁壁２０と一体に成形された短い棒状の先端部材２４が設けられている。
【００２２】
この接続用プラグコネクタ１３は、ＤＣコード５に埋め込まれた導線２５a、２５bの一方が外側導体２１に、他方が内側導体２２に接続された状態で使用されている。
【００２３】
図５は、第２実施の形態を接続の状態で示す要部の断面図である。
【００２４】
この第２実施形態のＡＣアダプタ２６は、次に述べる自己復帰型ヒューズ２７を設けた点と、接続用プラグコネクタ１３がケース７に螺合接続された点において、上記第１実施形態のＡＣアダプタ１と異なるものであるので、同じ部位に同一の符号を付してこれら部位の詳細な説明は省略する。
【００２５】
すなわち、自己復帰型ヒューズ２７は、電源側または機器側のいずれか一方に異常が発生して電源と機器との間に通常以上の電流が流れた場合若しくは流れ続けた場合に、異常の発生していない方を保護する機能を果たす状態にして先端部材２４に埋め込まれている。
【００２６】
また、接続用プラグコネクタ１３は、上記のケース７と上記の先端部材２４とに雌・雄ネジ２８a、２８bを設けて濫りに外れないようにされている。
【００２７】
図６は、第３実施の形態を接続の状態で示す要部の断面図である。
【００２８】
この第３実施形態のＡＣアダプタ２９は、上記で述べた接続用ジャックコネクタ１２がＤＣコード５側に設けられ、接続用プラグコネクタ１３がケース７に設けられた点と、雌・雄ネジ２８a、２８bが接続用ジャックコネクタ１２および接続用プラグコネクタ１３に設けられた点において、上記第２実施形態のＡＣアダプタ２６と異なるものであるので、同じ部位に同一の符号を付してこれら部位の詳細な説明は省略する。
【００２９】
すなわち、接続用ジャックコネクタ１２は、上記の先端部材２４の先端面に円形凹部３０が設けられ、この円形凹部３０の周壁面内側に筒状導電部材３１が嵌合固定され、また同円形凹部３０の底面中央に導体として機能する中心ピン３２が立設され、これら導電部材３１、中心ピン３２に上記の導線２５a、２５bが接続されている。
【００３０】
また、接続用プラグコネクタ１３は、プラグ本体部２３が上記と同様に構成され、該プラグ本体部２３が樹脂製円筒状取付体３３を介してケース７に固定され、プラグ本体部２３における外側導体２１および内側導体２２に上記のリード線１１a、１１bが接続されている。
【００３１】
また、雌・雄ネジ２８a、２８bは、上記導電部材３１の開口部内面とプラグ本体部２３の外側導体２１の基端部外周に設けられている。
【００３２】
本発明は、雌・雄ネジ２８a、２８bの螺合による外れ防止構造は、例えば接続用プラグコネクタ１３側に突起が設けられ、接続用ジャックコネクタ１２側に接続用プラグコネクタ１３の進退時に上記突起を案内する凹溝部と挿入後に回転することにより上記突起が係合される係合溝部とが設けられたロック機構であってもよい。
【００３３】
以上のように、上記の各実施形態例は、ＤＣコード５がアダプタ本体４に対して接続用コネクタ６により着脱・交換自在に接続され、且つ該接続用コネクタ６は接続用ジャックコネクタ１２と接続用プラグコネクタ１３により構成されているから、ＤＣコード一体型の上記従来例とは異なり、一つの製造ラインで効率的にアダプタ本体４を製造することが可能である。従って、コスト低減化と生産性向上が図ることができる。またＤＣコード５を取り外すことにより、持ち運びや収納も便利になる。更に、ＤＣコード５は、着脱して使用する形式であるところ、アダプタ本体４に接続した状態にあるときには、不測の外力を受けて外れるようなことがないので、結果として、外力に対して一定の保護機能を有する。また螺合接続部、ロック機構は外方に突出しないコンパクトな構成にできるから、接続用コネクタ６が大型になるおそれがない。また、出荷形態は、ＤＣコード５を取り付けた状態若しくは外した状態のいずれも可能である。
【００３４】
本発明は、交流側プラグコネクがタアダプタ本体４にＡＣコードを介して接続されたタイプのＡＣアダプタで実施することができる。この場合、ＡＣコードは着脱・交換可能にすることが望ましい。
【図面の簡単な説明】
【００３５】
【図１】第１実施の形態の全体を示す外観斜視図である。
【図２】同じく分離状態で示す一部切截平面図である。
【図３】同じく結線の様子示す模式図である。
【図４】同じく接続の状態で示す要部の断面図である。
【図５】第２実施の形態を接続の状態で示す要部の断面図である。
【図６】第３実施の形態を接続の状態で示す要部の断面図である。
【図７】従来例を示す一部切截平面図である。
【符号の説明】
【００３６】
１  第１実施形態のＡＣアダプタ
２  商用交流電源コンセント
３  直流機器
４  ＡＣアダプタ本体
５  ＤＣコード
６  接続用コネクタ
７  ケース
８  ＡＣ/ＤＣコンバータ
９a、９b  リード線
１０  交流側プラグコネクタ
１１a、１１b  リード線
１２  接続用ジャックコネクタ
１３  接続用プラグコネクタ
１４  機器側ジャックコネクタ
１５  直流側プラグコネクタ
１６  プラグ孔
１７  円筒体
１８  中心ピン
１９  端子片
２０  絶縁壁
２１  外側導体
２２  内側導体
２３  プラグ本体部
２４  先端部材
２５a、２５b  導線
２６  第２実施形態のＡＣアダプタ
２７  自己復帰型ヒューズ
２８a、２８b  雌・雄ネジ
２９  第３実施形態のＡＣアダプタ
３０  円形凹部
３１  導電部材
３２  中心ピン
３３  取付体
【図１】
2007179802.tif 000003
【図２】
2007179802.tif 000004
【図３】
2007179802.tif 000005
【図４】
2007179802.tif 000006
【図５】
2007179802.tif 000007
【図６】
2007179802.tif 000008
【図７】
2007179802.tif 000009